(57)【要約】【課題】撮像装置側から発光に応じて確実に適正なスレーブＴＴＬ調光制御が可能な撮像装置を提供する。【解決手段】内蔵する第１のフラッシュ装置の発光に対応させて外部に位置する第２のフラッシュ装置を発光させることが可能なカメラ１００において、閃光発光するフラッシュ発光部１０１と、フラッシュ発光部１０１の発光を制御するフラッシュ発光制御部１０３を有する第１のフラッシュ装置と、第２のフラッシュ装置を使用しない第１の発光モードと第２のフラッシュ装置を使用する第２の発光モードを判定するスレーブモード判定制御部１５１を具備し、第２の発光モードが設定されている場合は、本発光に先立つプリ発光動作を行う際に、フラッシュ発光制御部１０３は第１の発光モードが設定されている場合のプリ発光の発光量よりもプリ発光の発光量を大きくする。【選択図】  図３
2015034862.tif 000002
【特許請求の範囲】
【請求項１】
内蔵する第１のフラッシュ装置の発光に対応させて外部に位置する第２のフラッシュ装置を発光させることが可能な撮像装置において、
閃光発光するフラッシュ発光部と、
上記フラッシュ発光部の発光を制御するフラッシュ発光制御部と、
を有する第１のフラッシュ装置と、
上記第２のフラッシュ装置を使用しない第１の発光モードと上記第２のフラッシュ装置を使用する第２の発光モードを設定可能な発光モード設定部と、
を具備し、
上記第２の発光モードが設定されている場合は、本発光に先立つプリ発光動作を行う際に、上記フラッシュ発光制御部は上記第１の発光モードが設定されている場合のプリ発光の発光量よりもプリ発光の発光量を大きくすることを特徴とする撮像装置。
【請求項２】
内蔵する第１のフラッシュ装置の発光に対応させて外部に位置する第２のフラッシュ装置を発光させることが可能な撮像装置において、
閃光発光するフラッシュ発光部と、
上記フラッシュ発光部の発光を制御するフラッシュ発光制御部と、
を有する第１のフラッシュ装置と、
上記第２のフラッシュ装置を使用しない第１の発光モードと上記第２のフラッシュ装置を使用する第２の発光モードを設定可能な発光モード設定部と、
を具備し、
上記第２の発光モードが設定されている場合は、本発光に際して、上記フラッシュ発光制御部は上記第１の発光モードが設定されている場合の本発光の発光量の最小値よりも本発光の発光量を大きくすることを特徴とする撮像装置。
【請求項３】
撮影光学系の光束を制限する絞りと、
上記絞り開口に相当する絞り値を制御する絞り制御部と、
を有し、
上記絞り制御部は、上記第２の発光モードでは、プリ発光時の絞り値を上記第１の発光モードの場合の絞り値よりも大きい絞り値に制御することを特徴とする請求項２に記載の撮像装置。
【請求項４】
上記発光モード設定部は、上記撮像装置が水中撮影に適する撮影モードに設定された場合に、上記第２の発光モードに設定することを特徴とする請求項１又は２に記載の撮像装置。
【請求項５】
被写体像を画像データに変換して出力する撮像部を有し、
上記発光モード設定部は、上記フラッシュ発光部によってモード検出用プリ発光を行い、このモード検出用プリ発光時に取得した上記画像データに基づいて、上記第２の発光モードか否かを判定することを特徴とする請求項１又は２に記載の撮像装置。
【発明の詳細な説明】
【技術分野】
【０００１】
本発明は、撮像装置側の第１のフラッシュ装置の発光に対応させて外部に位置する第２のフラッシュ装置を発光させることが可能な撮像装置に関する。
【背景技術】
【０００２】
カメラの内部に設けられた撮像素子等の測光素子の出力を用い、ＴＴＬ（Through the Lens）調光制御によるプリ発光動作および本発光動作に発光動作を同期させて、撮像装置の外部に配置された閃光発光装置（外部フラッシュ）を簡易的にＴＴＬ調整制御するスレーブＴＴＬ調光制御が知られている（例えば、特許文献１参照）。
【０００３】
スレーブＴＴＬ調光制御は、カメラ内蔵の小型・小光量のフラッシュで大発光光量発光の外部フラッシュをケーブルレスでＴＴＬ調光できるため、水中撮影時等に広く用いられている。このスレーブＴＴＬ調光制御は、外部フラッシュ側の受光素子によって検出したプリ発光および本発光動作の発光開始・停止タイミングに同期して外部フラッシュ側の発光開始・停止動作を行い、外部フラッシュ側の発光量の制御を行う。
【先行技術文献】
【特許文献】
【０００４】
【特許文献１】特開２００７−２９８８８０号公報
【発明の概要】
【発明が解決しようとする課題】
【０００５】
近年、カメラに内蔵もしくは接続されたフラッシュ装置の発光光量は、撮像素子の高感度化およびカメラ自体の小型化により、小光量化している。すなわち、発光量を制御している発光時間が短時間になってきている。特にプリ発光動作は小光量発光のため、より短時間の発光動作となり、外部フラッシュ側の受光素子によって発光停止タイミングを検出できず、発光できない場合がある。このように、従来のスレーブＴＴＬ調光制御では、（１）プリ発光時の発光停止タイミングを受信できない場合には撮影画像がアンダとなり、（２）本発光時の発光停止タイミングを受信できない場合には撮影画像がオーバとなることがある。
【０００６】
本発明は、このような事情を鑑みてなされたものであり、撮像装置側から発光に応じて確実に適正なスレーブＴＴＬ調光制御が可能な撮像装置を提供することを目的とする。
【課題を解決するための手段】
【０００７】
上記目的を達成するため第１の発明に係る撮像装置は、内蔵する第１のフラッシュ装置の発光に対応させて外部に位置する第２のフラッシュ装置を発光させることが可能な撮像装置において、閃光発光するフラッシュ発光部と、上記フラッシュ発光部の発光を制御するフラッシュ発光制御部と、を有する第１のフラッシュ装置と、上記第２のフラッシュ装置を使用しない第１の発光モードと上記第２のフラッシュ装置を使用する第２の発光モードを設定可能な発光モード設定部と、を具備し、上記第２の発光モードが設定されている場合は、本発光に先立つプリ発光動作を行う際に、上記フラッシュ発光制御部は上記第１の発光モードが設定されている場合のプリ発光の発光量よりもプリ発光の発光量を大きくする。
【０００８】
第２の発明に係る撮像装置は、内蔵する第１のフラッシュ装置の発光に対応させて外部に位置する第２のフラッシュ装置を発光させることが可能な撮像装置において、閃光発光するフラッシュ発光部と、上記フラッシュ発光部の発光を制御するフラッシュ発光制御部と、を有する第１のフラッシュ装置と、上記第２のフラッシュ装置を使用しない第１の発光モードと上記第２のフラッシュ装置を使用する第２の発光モードを設定可能な発光モード設定部と、を具備し、上記第２の発光モードが設定されている場合は、本発光に際して、上記フラッシュ発光制御部は上記第１の発光モードが設定されている場合の本発光の発光量の最小値よりも本発光の発光量を大きくする。
【０００９】
第３の発明に係る撮像装置は、上記第２の発明において、撮影光学系の光束を制限する絞りと、上記絞り開口に相当する絞り値を制御する絞り制御部と、を有し、上記絞り制御部は、上記第２の発光モードでは、プリ発光時の絞り値を上記第１の発光モードの場合の絞り値よりも大きい絞り値に制御する。
【００１０】
第４の発明に係る撮像装置は、上記第１又は第２の発明において、上記発光モード設定部は、上記撮像装置が水中撮影に適する撮影モードに設定された場合に、上記第２の発光モードに設定する。
【００１１】
第５の発明に係る撮像装置は、上記第１又は第２の発明において、被写体像を画像データに変換して出力する撮像部を有し、上記発光モード設定部は、上記フラッシュ発光部によってモード検出用プリ発光を行い、このモード検出用プリ発光時に取得した上記画像データに基づいて、上記第２の発光モードか否かを判定する。
【発明の効果】
【００１２】
本発明によれば、撮像装置側から発光に応じて確実に適正なスレーブＴＴＬ調光制御が可能な撮像装置を提供することができる。
【図面の簡単な説明】
【００１３】
【図１】本発明の第１実施形態に係るカメラシステムの配置を示す図である。
【図２】本発明の第１実施形態に係るスレーブフラッシュの主として電気的構成を示すブロック図である。
【図３】本発明の第１実施形態に係るカメラの主として電気構成を示すブロック図である。
【図４】本発明の第１実施形態に係るカメラシステムにおけるスレーブモード設定時のＴＴＬ動作を示す波形図である。
【図５】本発明の第１実施形態に係るカメラシステムにおけるスレーブモード設定時のＴＴＬ動作を示す波形図である。
【図６】本発明の第１実施形態に係るカメラシステムと対比される従来のカメラシステムにおけるスレーブモード設定時のＴＴＬ動作を示す波形図である。
【図７】本発明の第１実施形態に係るカメラシステムと対比される従来のカメラシステムにおけるスレーブモード設定時のＴＴＬ動作を示す波形図である。
【図８Ａ】本発明の第１実施形態に係るカメラの発光制御動作を示すフローチャートである。
【図８Ｂ】本発明の第１実施形態に係るカメラの発光制御動作を示すフローチャートである。
【図９】本発明の第１実施形態に係るカメラにおけるプリ発光量テーブルでの発光量の関係を示す図である。
【図１０】本発明の第１実施形態に係るカメラにおける本発光量テーブルでの発光量の関係を示す図である。
【図１１Ａ】本発明の第２実施形態に係るカメラの発光制御動作を示すフローチャートである。
【図１１Ｂ】本発明の第２実施形態に係るカメラの発光制御動作を示すフローチャートである。
【図１２】本発明の第３実施形態に係るカメラシステムにおけるＴＴＬ動作を示す波形図である。
【図１３Ａ】本発明の第３実施形態に係るカメラの発光制御動作を示すフローチャートである。
【図１３Ｂ】本発明の第３実施形態に係るカメラの発光制御動作を示すフローチャートである。
【発明を実施するための形態】
【００１４】
以下、図面に従って本発明を適用したカメラとスレーブフラッシュからなるカメラシステムを用いて好ましい実施形態について説明する。図１は、本発明の第１実施形態に係るカメラシステムにおけるカメラとスレーブフラッシュの配置を示す図である。
【００１５】
カメラ１００は内蔵のフラッシュ１０１を備えており、被写体３００に向けてプリ発光および本発光が可能である。また、被写体３００の周囲には、スレーブフラッシュ２００Ａおよびスレーブフラッシュ２００Ｂが配置されている。このスレーブフラッシュ２００Ａ、２００Ｂは、それぞれフラッシュ２０１Ａ、２０１Ｂと、フラッシュ受光部２０３Ａ、２０３Ｂを有しており、カメラ１００のフラッシュ１０１からのプリ発光および本発光を受光し、これらの発光に同期してフラッシュ発光を行う。
【００１６】
このように、本実施形態に係るカメラ１００は、フラッシュ１０１（撮像装置が内蔵する第１のフラッシュ装置の一部に対応する）の発光に対応させて外部に位置するスレーブフラッシュ２００Ａ、２００Ｂ（第２のフラッシュ装置に対応する）を発光させることが可能である。
【００１７】
図２は、図１に示すスレーブフラッシュ２００Ａおよび２００Ｂの詳細を示すブロック図である。本実施形態においては、スレーブフラッシュ２００Ａおよび２００Ｂは同一の構成として説明するが、全く同一の構成でなくても構わない。スレーブフラッシュ２００Ａ、２００Ｂは、フラッシュ２０１、フラッシュ光受光部２０３、制御部２１０を有する。
【００１８】
フラッシュ２０１は、閃光発光管を有し、フラッシュ発光量制御部２１１からの発光制御信号に基づいて、フラッシュ発光を開始し、フラッシュ発光の停止を行う。フラッシュ光受光部２０３は、受光素子を有し、受光強度に応じた受光信号を受光制御部２１５に出力する。したがって、カメラ１００のフラッシュ１０１より、プリ発光や本発光を受光すると、フラッシュ受光部２０３は、この発光に応じた受光信号を受光制御部２１５に出力する。
【００１９】
制御部２１０は、フラッシュ発光量制御部２１１、フラッシュ発光量演算部２１３、受光制御部２１５を有する。受光制御部２１５は、フラッシュ光受光部２０３によって受光した受光強度に応じた受光信号をフラッシュ発光量制御部２１１およびフラッシュ発光量演算部２１３に出力する。
【００２０】
フラッシュ発光量制御部２１１は、受光制御部２１５またはフラッシュ発光量演算部２１３からの信号に応じて、フラッシュ２０１に対して外部フラッシュ側発光制御信号を出力する。スレーブフラッシュ２００Ａ、２００ＢがスレーブＴＴＬ調光制御を行う動作モードに設定されている場合には、フラッシュ発光量制御部２１１は、受光制御部２１５からの受光信号が所定値以上の場合にＨ信号、所定値未満の場合にはＬ信号をフラッシュ２０１に出力する。フラッシュ発光量制御部２１１からのＬ信号からＨ信号への立ち上がりに同期してフラッシュ２０１は発光を開始し、またＨ信号からＬ信号への立ち下がりに同期してフラッシュ２０１は発光を停止する（後述する図４参照）。
【００２１】
また、フラッシュ２００Ａ、２００ＢがスレーブＴＴＬ調光制御を行う動作モードに設定されていない場合には、通常の外部フラッシュとしての動作を行う。つまり、フラッシュ発光量制御部２１１は、所定プリ発光用の発光量にてフラッシュ２０１をプリ発光させ、被写体からの反射光をフラッシュ受光部２０３で受光する。受光制御部２１５は、フラッシュ光受光部２０３によって受光した受光強度に応じた受光信号をフラッシュ発光量演算部２１３に出力する。フラッシュ発光量演算部２１３は、受光制御部２１３からの受光信号に基づいて、フラッシュ２００Ａ、２００Ｂの本発光の発光量を演算し、フラッシュ発光量制御部２１１に出力する。フラッシュ発光量制御部２１１は、フラッシュ発光量演算部２１３からの発光量に基づいて、フラッシュ２０１の発光量を制御して本発光を実行する。
【００２２】
図３は、図１に示すカメラ１００の詳細を示すブロック図である。撮影レンズ１１１は、被写体３００の被写体像を形成するための光学レンズであり、レンズ制御部１３１によってフォーカスレンズやズームレンズが光軸方向に移動する。撮影レンズ１１１の光軸上には、絞り１１３、ＮＤフィルタ１１５、シャッタ１１７が配置され、また撮影レンズ１１１の光軸上であって、かつ光学像の結像位置付近には撮像素子１１９が配置されている。
【００２３】
絞り１１３は、絞り口径が可変であり、撮影光学系の光束を制御する。絞り制御部１２９は、絞り開口に相当する絞り値を制御する。絞り１１３は絞り制御部１２９からの制御信号に基づいて、撮影レンズ１１１を通過した被写体光束の光量を調節する。ＮＤフィルタ１１５は、被写体光束の透過量を減少させる光学フィルタであり、ＮＤ制御部１２７からの制御信号に基づいて、撮影レンズ１１１の光軸上に進退自在である。
【００２４】
シャッタ１１７は、撮影時には、シャッタ制御部１２５からの制御信号に基づいて、シャッタ秒時で決まる時間の間、被写体光束を通過させる。また、ライブビュー表示時には、開放状態となっている。
【００２５】
なお、本実施形態においては、絞り１１３、ＮＤフィルタ１１５、シャッタ１１７を撮影レンズ１１１の光軸上に配置し、露光制御を行うようにしているが、この内の一部の素子を省略して露光制御を行うようにしてもよい。また、シャッタ１１７の代わりに、撮像素子１１９内の電子シャッタによってシャッタ時間を制御するようにしてもよい。
【００２６】
撮像素子１１９は、撮影レンズ１１１によって形成された被写体像を光電変換し、画像信号を画像処理部１２１に出力する。撮像制御部１２３は、制御部１５０からの制御信号に基づいて、撮像素子１１９の電荷蓄積や読み出し等の制御を行う。画像処理部１２１は、撮像素子１１９から画像信号を入力し、増幅処理、ＡＤ変換処理、ＯＢ処理、ガンマ処理等、種々の画像処理を行い、画像処理した画像データを制御部１５０に出力する。なお、撮像素子１１９、画像処理部１２１および撮像制御部１２３は、被写体像を画像データに変換して出力する撮像部として機能する。
【００２７】
制御部１５０には、前述の画像処理部１２１、撮像制御部１２３、シャッタ制御部１２５、ＮＤ制御部１２７、絞り制御部１２９、レンズ制御部１３１の他に、フラッシュ制御部１０３、記録部１３３、音声処理部１３５、表示部１４１、および操作部１４３が接続されている。
【００２８】
フラッシュ制御部１０３は制御部１５０からの制御信号に基づいて、フラッシュ１０１に対して発光開始および発光停止等の発光制御信号を出力し、フラッシュ１０１は発光制御信号に基づいて、被写体３００に対して閃光発光を行う。フラッシュ１０１は閃光発光するフラッシュ発光部としての機能を有し、フラッシュ制御部１０３はフラッシュ発光部の発光を制御するフラッシュ発光制御部としての機能を有し、フラッシュ１０１とフラッシュ制御部１０３によって第１のフラッシュ装置として機能する。
【００２９】
記録部１３３は、記録メディアを有し、画像処理部１２１から出力される画像データを記録メディアに記録する。また、画像データの記録時に併せて音声処理部１３５から出力される音声データも記録メディアに記録可能である。
【００３０】
音声処理部１３５は、マイク１３７とスピーカ１３９が接続されており、マイク１３７によって集音された音声信号を処理して記録部１３３に記録させ、また記録部１３３に記録された音声データを処理して、スピーカ１３９から再生する。
【００３１】
表示部１４１は、液晶パネル等の表示部材を有し、被写体確認のためのライブビュー表示、記録部１３３に記録された画像の再生表示、メニュー画面等の表示を行う。操作部１４３は、レリーズ釦、メニュー釦等の種々の操作部材を有し、これらの操作部材の操作状態を検知して、制御部１５０に出力する。
【００３２】
制御部１５０内には、スレーブモード判定制御部１５１、フラッシュ発光量制御部１５３、ＡＦ制御部１５５、およびＡＥ制御部１５７を有している。なお、制御部１５０内には、他に図示しないＣＰＵ（Central Processing Unit）と不揮発性メモリが設けられており、ＣＰＵは不揮発性メモリに記憶されたプログラムに従って、カメラ１００の全体制御を行う。また、スレーブモード判定制御部１５１等の各部は、ハードウエアで構成してもよく、またＣＰＵとプログラムによりソフトウエアで構成してもよい。
【００３３】
スレーブモード判定部１５１は、スレーブフラッシュ２００Ａ、２００Ｂ等と協働してスレーブＴＴＬ調光制御で閃光発光を行うスレーブモードか否かを判定する。スレーブモード判定部１５１は、第２のフラッシュ装置（スレーブフラッシュ２００Ａ等が対応する）を使用しない第１の発光モードと第２のフラッシュ装置を使用する第２の発光モードを設定可能な発光モード設定部として機能する。スレーブモードとして判定するのは、以下のような場合がある。
【００３４】
（１）カメラ１００のメニュー画面等において、フラッシュ発光モードの中からスレーブモード（スレーブＴＴＬ）が設定されている場合。
（２）カメラ１００のメニュー画面等において、アクセサリ設定モードの中からスレーブフラッシュ有りが設定されている。
【００３５】
（３）カメラ１００のメニュー画面等において、水中撮影モードに設定されている場合。水中撮影の場合には、周囲が暗いことからスレーブフラッシュを使用した撮影が行われる。
（４）カメラ１００に水圧センサを設け、この水圧センサによって水中と判断された場合。前述したように、水中での撮影の場合には、周囲が暗いことからスレーブフラッシュを使用した撮影が行われる。
【００３６】
（５）プリ発光時の撮像素子１１９からの画像データに基づいて、スレーブフラッシュが使用されていると判定された場合。すなわち、カメラ１００のフラッシュ１０１がスレーブフラッシュ検出用にプリ発光し、このプリ発光にスレーブフラッシュ２００Ａ、２００Ｂが応答して発光すると、撮像素子１１９からの画像データにおいて、フラッシュ１０１の発光の影響を受けた撮像ライン（明るいライン）とスレーブフラッシュ２００Ａ、２００Ｂからの発光の影響を受けた撮像ライン（明るいライン）の数に差が生ずるので、この差に基づいて判定する。この判定方法については、図１２、図１３Ａ、および図１３Ｂを用いて後述する。
【００３７】
フラッシュ発光量制御部１５３は、スレーブモード（スレーブＴＴＬ調光制御）の場合には、プリ発光時の撮像素子１１９の出力に基づく画像データを用いて、フラッシュ１０１の本発光時の発光量を算出し、フラッシュ制御部１０３を介してフラッシュ１０１の発光量を制御する。また、スレーブモード時のプリ発光量等の制御も行う（本実施形態においては、予め決められた発光量（図８ＡのＳ９、Ｓ１１、図９参照））。スレーブモード以外のオートモードやマニュアルモードが設定されている場合には、フラッシュ発光量制御部１５３は、それぞれのモードに従って発光量を制御する。
【００３８】
ＡＦ制御部１５５は、撮像素子１１９の出力に基づく画像データを用いて、コントラスト信号を抽出し、このコントラスト信号がピークとなるように、レンズ制御部１３１を介して、撮影レンズ１１１中のフォーカスレンズの位置を制御する。
【００３９】
ＡＥ制御部１５７は、撮像素子１１９の出力に基づく画像データを用いて、被写体輝度値を求め、この被写体輝度値に基づいて、適正露光となる絞り値、ＮＤフィルタの有無、シャッタ速度、ＩＳＯ感度等を算出し、この算出結果に基づいて、シャッタ制御部１２５、ＮＤ制御部１２７、絞り制御部１２９等を介して制御する。
【００４０】
前述の制御部１５０は、第２の発光モード（第２のフラッシュ装置（スレーブフラッシュ２００Ａ等が対応）を使用する発光モード）が設定されている場合は、本発光に先立つプリ発光動作を行う際に、フラッシュ発光制御部は第１の発光モード（第２のフラッシュ装置を使用しない発光モード）が設定されている場合のプリ発光の発光量よりもプリ発光の発光量を大きくなるように制御する（図８ＡのＳ９参照）。
【００４１】
また、制御部１５０は、第２の発光モード（第２のフラッシュ装置（スレーブフラッシュ２００Ａ等が対応）を使用する発光モード）が設定されている場合は、本発光に際して、フラッシュ発光制御部は第１の発光モード（第２のフラッシュ装置を使用しない発光モード）が設定されている場合の本発光の発光量の最小値よりも本発光の発光量を大きくなるように制御する（図８ＢのＳ１７参照）。
【００４２】
次に、図４を用いて、本実施形態に係るカメラシステムにおけるスレーブＴＴＬ調光制御の動作について説明する。図４において、破線Ｔ１内はプリ発光動作であり、破線Ｔ２内は本発光動作である。
【００４３】
図４の第１段（最上段）は、カメラ１００内のフラッシュ制御部１０３から出力されるカメラ側発光制御信号を示し、第２段は、カメラ１００のフラッシュ１０１の発光動作による発光強度波形を示す。また、第３段は、スレーブフラッシュ２００Ａ、２００Ｂのフラッシュ発光量制御部２１１から出力される外部フラッシュ側発光制御信号を示し、第４段（最下段）は、スレーブフラッシュ２００Ａ、２００Ｂにおける外部フラッシュ側発光動作による発光強度波形を示す。
【００４４】
カメラ側発光制御信号は、プリ発光動作時に、時刻ｔ１においてＬレベルからＨレベルに変化し、時刻ｔ３においてＨレベルからＬレベルに変化する。カメラ側発光制御信号がＬレベルからＨレベルに変化すると、カメラ１００内のフラッシュ１０１は発光を開始し、時刻ｔ２において発光強度が所定レベルＰを超える。またカメラ側発光制御信号がＨレベルからＬレベルに変化すると、フラッシュ１０１は発光を停止し、時刻ｔ４において発光強度が所定レベルＰより小さくなる。
【００４５】
また、フラッシュ１０１が発光を開始すると、スレーブフラッシュ２００Ａ、２００Ｂにおいて、フラッシュ光受光部２０３はフラッシュ１０１の発光による被写体３００からの反射光を受光してその受光量に応じた信号を受光制御部２１５に出力する。受光制御部２１５は、時刻ｔ２において受光量が上記発光強度である所定レベルＰに相当するレベルに達すると、フラッシュ発光量制御部２１１に対応する信号を出力する。これにより、フラッシュ発光量制御部２１１から出力される外部フラッシュ側発光制御信号は、時刻ｔ２においてＬレベルからＨレベルに変化する。また、フラッシュ側発光制御信号は、フラッシュ１０１の発光停止により時刻ｔ２とは逆の動作によって、時刻ｔ４においてＨレベルからＬレベルに変化する。外部フラッシュ側発光制御信号がＬレベルからＨレベルに変化すると、スレーブフラッシュ２００Ａ、２００Ｂは発光を開始し、ＨレベルからＬレベルに変化すると、スレーブフラッシュ２００Ａ、２００Ｂは発光を停止する。
【００４６】
本発光においても、図４の破線Ｔ２内に示すように、プリ発光動作と同様に、カメラ側発光制御信号に応じて、カメラ側発光動作が行われ、この発光動作に応答して、外部フラッシュ側発光制御信号が出力され、外部フラッシュ側発光動作が行われる。
【００４７】
このように、本実施形態におけるスレーブＴＴＬ調光制御においては、カメラ１００からの発光開始・発光停止に同期してスレーブフラッシュ２００Ａ、２００Ｂが発光開始・停止を行っている。しかし、発光量を制御している発光時間が短時間になると、外部フラッシュ側のフラッシュ受光部２０３内の受光素子が発光停止タイミングを受信できず、発光停止することができない場合がある。そこで、本実施形態においては、スレーブモード（スレーブＴＴＬ調光制御）が設定されている場合には、スレーブフラッシュ２００Ａ、２００Ｂを使用しない場合の発光量に比較し、カメラ１００側におけるプリ発光の発光量が大きくなるようにしている。また、本発光の場合にはカメラ１００側の本発光の発光量の最小値よりも発光量を大きくしている。
【００４８】
図５を用いて、この発光量制御について説明する。カメラ１００におけるプリ発光量は、発光時間で決まり、本実施形態においては、スレーブモードが設定されている場合には、通常のＴＴＬ調光制御時のプリ発光時間より長い発光時間にして、外部フラッシュ側（スレーブフラッシュ側）の発光停止タイミングを十分とれるようにしている。すなわち、通常のＴＴＬ調光時のプリ発光時間は、時刻ｔ１から時刻ｔ３ａであるが、スレーブモードが設定されている場合には、発光停止を行う時刻ｔ３のタイミングは、時刻ｔ３ａよりも後になるようにしている（図５中の破線Ａ内参照）。このため、外部フラッシュ側発光制御信号において、発光開始（時刻ｔ２）から発光停止（時刻ｔ４）までの時間が十分確保でき、発光停止を失敗することを防止できる。
【００４９】
また、本発光時においても、通常の本発光時の最小発光時間（発光量）より長い発光時間とし、外部フラッシュ側の発光停止タイミングを十分とれるようにしている。すなわち、通常の本発光時の最小発光時間は、時刻ｔ６からｔ９ａであり、スレーブモードが設定されている場合には、発光停止を行う時刻ｔ９のタイミングは、時刻ｔ９ａよりも後になるようにしている（図５中の破線Ｂ内参照）。このため、外部フラッシュ側発光制御信号において、発光開始（時刻ｔ７）から発光停止（時刻ｔ８）までの時間が十分確保でき、発光停止を失敗することを防止できる。
【００５０】
このように、本実施形態においては、スレーブモードが設定された場合には、カメラ側の発光時間（発光量）に下限値を設け、この下限値以上の発光時間を確保している。このような設定を行っていない場合について、図６および図７を用いて説明する。
【００５１】
図６は、カメラ１００側のプリ発光時間が通常のＴＴＬ調光制御時のプリ発光の最小発光量の場合を示している（発光停止時刻ｔ１３は、上記発光停止時刻ｔ３ａよりも早い場合）。この場合には、スレーブフラッシュ２００Ａ、２００Ｂにおいて、発光停止時刻ｔ１４におけるフラッシュ１０１の発光完了タイミングに対応してｔ１４において発光強度が所定量Ｐより小さくなることを検出できない。このため、破線Ｃに示すように、スレーブフラッシュ２００Ａ、２００Ｂ側のプリ発光動作が停止できずフル発光となってしまう（スレーブフラッシュ側では、時刻ｔ５に強制的に発光停止信号を出力）。プリ発光時にフル発光してしまうことから、本発光時には、破線Ｄに示すように、スレーブフラッシュ２００Ａ、２００Ｂにおいて発光エネルギがなく、本発光を行えず、カメラ１００ではアンダ露光の画像が撮影される。
【００５２】
図７は、カメラ１００側の本発光時間が通常のＴＴＬ調光制御時の本発光の最小発光量の場合を示している（発光停止時刻ｔ２９は、上記発光停止時刻ｔ９ａよりも早い場合）。この場合には、スレーブフラッシュ２００Ａ、２００Ｂにおいて、発光停止時刻ｔ２９におけるフラッシュ１０１の発光完了タイミングに対応して時刻ｔ２８において発光強度が所定量Ｐより小さくなることを検出できない。このため、破線Ｅに示すように、スレーブフラッシュ２００Ａ、２００Ｂ側の本発光動作が停止できずフル発光となってしまう（スレーブフラッシュ側では、時刻ｔ３０に強制的に発光停止信号を出力）。フラッシュ１０１の本発光時の停止時に、スレーブフラッシュ２００Ａ、２００Ｂが発光を停止できずフル発光してしまうことから、カメラ１００ではオーバ露光の画像が撮影される。
【００５３】
次に、本実施形態における発光制御の動作について、図８Ａおよび図８Ｂに示すフローチャートを用いて説明する。このフローは、制御部１５０によって実行される（後述する図１１Ａ、１１Ｂ、１３Ａ、１３Ｂも同様）。なお、制御部１５０内には、前述したように、図示しないＣＰＵと不揮発性メモリが設けられており、ＣＰＵは不揮発性メモリに記憶されているプログラムに従って、カメラ１００内の各部を制御することにより、このフローを実行する。
【００５４】
図８Ａに示す発光制御のフローに入ると、まず、２ｎｄレリーズがオンか否かを判定する（Ｓ１）。撮影者が表示部１４１に表示されたライブビュー画像を観察し、構図を決めると、操作部１４３の１つであるレリーズ釦を全押しする。レリーズ釦が全押しされると、２ｎｄレリーズスイッチがオンとなるので、このステップでは、２ｎｄレリーズスイッチがオンになったか否かを判定する。この判定の結果、２ｎｄレリーズスイッチがオンでない場合には、２ｎｄレリーズスイッチがオンとなるのを待つ、待機状態となる。
【００５５】
ステップＳ１における判定の結果、２ｎｄレリーズがオンとなると、次に、フラッシュ発光の有無を判定する（Ｓ３）。ここでは、フラッシュ１０１の発光を行うか否かを判定する。フラッシュ１０１の発光は、撮影モードや被写体輝度等に基づいて判定される。この判定の結果、フラッシュ発光を行わない場合には、ステップＳ２７に進み、撮影動作を行う。
【００５６】
ステップＳ３における判定の結果、フラッシュ発光有りの場合には、次に、定常光測光動作を行う（Ｓ５）。ここでは、ＡＥ制御部１５７が画像データに基づいて被写体輝度情報を取得する。
【００５７】
定常光測光動作を行うと、次に、スレーブＴＴＬ判定を行う（Ｓ７）。ここでは、スレーブモード判定部１５１が、スレーブモードが設定されているか否かを判定する。この判定の結果、スレーブモードが設定されている場合には、スレーブＴＴＬ用プリ発光量（発光量Ａ）を決定する（Ｓ９）。ステップＳ７における判定の結果、スレーブモードが設定されていない場合には、通常ＴＴＬ用プリ発光量（発光量Ｂ）を決定する（Ｓ１１）。
【００５８】
プリ発光量Ａおよびプリ発光量Ｂは、制御部１５０内の不揮発性メモリ（不図示）に記憶されているプリ発光用発光テーブルから読み出す。プリ発光量Ａおよびプリ発光量Ｂは、それぞれ一律の値であり、発光量、ガイドナンバ（Ｇｎｏ）、または発光時間で表わすことができ、図９に示すように、プリ発光量Ａ＞プリ発光量Ｂの関係になっている。すなわち、スレーブモードが設定されている場合のプリ発光量Ａの方が、スレーブモードに設定されていない場合（通常ＴＴＬ）のプリ発光量Ｂに比較して大きい。
【００５９】
ステップＳ９またはＳ１１においてプリ発光量を決定すると、次に、プリ発光および測光動作を行う（Ｓ１３）。このステップでは、ステップＳ９またはＳ１１において決定されたプリ発光量で、フラッシュ１０１にプリ発光を行わせ（このプリ発光に同期してスレーブフラッシュ２００Ａ、２００Ｂもプリ発光する）、このとき、ＡＥ制御部１５７は被写体３００から返ってくる反射光を画像データに基づいて測光する。
【００６０】
プリ発光および測光動作を行うと、次に、ステップＳ７と同様に、スレーブＴＴＬ判定を行う（Ｓ１５）。この判定の結果、スレーブモード（スレーブＴＴＬ）であった場合には、スレーブＴＴＬ用本発光量演算用テーブル（テーブルＣ）を決定する（Ｓ１７）。一方、ステップＳ１５における判定の結果、スレーブモード（スレーブＴＴＬ）でなかった場合には、通常ＴＴＬ用本発光量演算用テーブル（テーブルＤ）を決定する（Ｓ１９）。
【００６１】
テーブルＣおよびテーブルＤは、プリ発光時の測光情報に基づいて本発光時の発光量を求めるテーブルである。この発光テーブルは、図１０に示すように、発光量、ガイドナンバ（Ｇｎｏ）、発光時間において範囲を有している。発光テーブルＣは、最小発光量側（最小Ｇｎｏ側、最小発光時間側）において、発光テーブルＤよりも発光量が大きい。これは、前述したように、スレーブモードであって本発光の場合には、カメラ１００側の本発光の発光量は、最小値の発光量よりも大きくするためである。なお、発光テーブルＣは、最大発光量側（最大Ｇｎｏ側、最大発光時間側）において、発光テーブルＤよりも発光量を小さくしている。発光テーブルＣの最大側では、発光テーブルＤと同様にしてもよいが、プリ発光時に発光エネルギをより多く使用していることを考慮して、小さくした。
【００６２】
ステップＳ１７またはＳ１９において本発光量演算用テーブルを決定すると、次に、本発光量演算を行う（Ｓ２１）。このステップでは、ステップＳ１３において行ったプリ発光動作時の測光結果に基づいて、本発光時の発光量を本発光量演算テーブル等から求める。
【００６３】
本発光量演算を行うと、またはステップ３における判定の結果、フラッシュ発光無しの場合には、撮影動作を行う（Ｓ２７）。このステップでは、フラッシュ発光有りの場合にはフラッシュ１０１による本発光（スレーブモードの場合には、スレーブフラッシュ２００Ａおよび２００Ｂの本発光）を行い、撮像素子１１９の画像信号に基づく画像データを記録部１３３に記録する。撮影動作が終了すると、この発光制御のフローを終了する。
【００６４】
このように、本発明の第１実施形態においては、スレーブモードの場合には、プリ発光時および本発光時のカメラ１００における発光量（発光時間）を所定の発光量（発光時間）よりも大きく（長く）なるようにしている。このため、スレーブフラッシュ２００Ａ、２００Ｂ側において、プリ発光または本発光の発光停止を確実に行うことができ、露光アンダや露光オーバの撮影画像となることを防止することができる。
【００６５】
次に、本発明の第２実施形態について、図１１を用いて説明する。本発明の第１実施形態においては、スレーブモードの際に絞り１１３を開放のままでプリ発光を行っていたが、第２実施形態においてはスレーブモードのプリ発光時に絞り込み制御を行うようにしている。これは、スレーブモード時には、プリ発光量を増加させているので、反射光量がオーバになり易くなることを防止するためである。
【００６６】
第２実施形態の構成は、第１実施形態の構成と同様であり、図８Ａ、８Ｂに示したフローチャートを図１１Ａ、１１Ｂに示すフローチャートに置き換えるだけである。また、図１１Ａ、１１Ｂに示すフローチャートは、図８Ａ、８Ｂのフローチャートにおいて、ステップＳ１０、Ｓ１２、Ｓ２３、Ｓ２５、Ｓ２６を追加する点が相違するので、この相違点を中心に説明する。
【００６７】
図１１Ａに示すフローに入り、ステップＳ１〜Ｓ５を実行し、ステップＳ７における判定の結果、スレーブモードの場合には、スレーブＴＴＬ用プリ発光量（発光量Ａ）を決定し（Ｓ９）、続いて、絞り込み制御を行う（Ｓ１０）。ここでは、予め決められている絞り値となるように、絞り制御部１２９は、絞り１１３の絞り込み制御を行う。なお、絞り込み制御に代えて、または絞り込み制御と共に、ＮＤフィルタ１１５を光路中に挿入し、光量を減少するようにしてもよい。
【００６８】
また、ステップＳ７における判定の結果、スレーブモードでない場合には、通常ＴＴＬ用プリ発光量（発光量Ｂ）を決定し（Ｓ１１）、絞り込み制御を行わない（Ｓ１２）。この場合には、プリ発光時には絞り１１３は開放絞りのままである。
【００６９】
ステップＳ１０またはＳ１２の処理を行うと、次に、プリ発光および測光動作を行う（Ｓ１３）。このステップでは、スレーブモードの場合には、カメラ１００は絞り１１３を絞り込んだ状態でプリ発光および測光動作を行い、スレーブモードでない場合には、絞り１１３を開放絞りの状態でプリ発光および測光動作を行う。
【００７０】
プリ発光および測光動作を行うと、図８Ｂに示したフローと同様に、ステップＳ１５からＳ２１を実行する。ステップＳ２１において本発光量演算を行うと、次に、最小発光量か否かを判定する（Ｓ２３）。ここでは、ステップＳ２１において演算した本発光量が最小発光量か否かを判定する。最小発光量は、図１０に示すような本発光用発光テーブル等の記憶してある値を読み出して使用する。なお、本発光量演算処理では、演算の結果、本発光量が最小発光量より小さい発光量と計算された場合には、本発光量を最小発光量にまるめるものとする。
【００７１】
ステップＳ２３における判定の結果、最小発光量であった場合には、ステップＳ１０と同様に、絞り込み制御を行う（Ｓ２５）。このステップでは、絞り制御部１２９は絞り１１３を、プリ発光時と同じ絞り値（Ｓ１０参照）に絞り込み制御を行う。一方、ステップＳ２３における判定の結果、最小発光量でない場合には、絞り込み制御無しとする（Ｓ２６）。ステップＳ２５またはＳ２６における処理を行うと、またはステップＳ３における判定の結果、フラッシュ発光無しの場合には、次に、撮影動作を行い（Ｓ２７）、撮影動作を行うと、発光制御のフローを終了する。
【００７２】
このように、本発明の第２実施形態においては、スレーブモードの場合には、プリ発光や本発光の際に絞り１１３を絞り込むようにしている。本実施形態においても、スレーブモードの場合には、プリ発光時および本発光時のカメラ１００における発光量（発光時間）を所定の発光量（発光時間）よりも大きく（長く）なるようにしているので、プリ発光や本発光の光量が大きくなり、オーバ露光となることを防止している。
【００７３】
また、本実施形態においては、求められた本発光量が最小発光量であった場合には、絞り１１３の絞り込み制御を行っている（Ｓ２５）。すなわち、絞り制御部は、第２の発光モード（スレーブフラッシュを使用する発光モード）では、プリ発光時の絞り値（ＦＮＯ）を第１の発光モード（スレーブフラッシュを使用しない発光モード）の場合の絞り値（ＦＮＯ）よりも大きい絞り値（ＦＮＯ）に制御する。このため、オーバ露光となることを防止できる。
【００７４】
次に、本発明の第３実施形態について、図１２および図１３Ａ、１３Ｂを用いて説明する。本実施形態は、スレーブモード判定制御部１５１がスレーブモードの設定を判定するにあたって、スレーブフラッシュ検出用プリ発光時に撮像素子１１９からの画像データに基づいて、スレーブフラッシュを使用して撮影しているか否かを判定し、判定の結果、スレーブフラッシュを使用して撮影している場合には、自動的にスレーブモードを設定する。
【００７５】
まず、図１２を用いて、スレーブフラッシュを使用しているか否かの判定について説明する。本実施形態における撮像素子１１９はローリングシャッタを有しており、言い換えると、ライン毎に順次、電荷蓄積と読み出しを行う。図１２において、第１段（最上段）は撮像の動作タイミングを示し、第２段は露光タイミング、第３段はカメラ１００に内蔵されたフラッシュ１０１の発光タイミング、第４段（最下段）はスレーブフラッシュの発光タイミングを示す。第２段のＳＴＡＲＴは、撮像素子１１９のローリングシャッタ動作におけるライン毎の電荷蓄積開始のタイミングを示し、ＥＮＤはライン毎の電荷蓄積終了のタイミングを示す。
【００７６】
今、カメラ１００はスレーブフラッシュ２００Ａ、２００Ｂと同期発光しながら、撮影を行うとする。このときのカメラ１００のフラッシュ１０１の発光期間は、図１２の第３段に示すように、時刻ｔ４１から時刻ｔ４２の間であり、このとき撮像素子１１９上では、範囲Ｒの画素がフラッシュ１０１の光量によって露光され（範囲Ｒ内の撮像ラインは、明るく露光される）、この範囲Ｒにおける撮像ラインの数はＡとなる。
【００７７】
また、スレーブフラッシュ２００Ａ、２００Ｂの発光期間は、図１２の第４段に示すように、時刻ｔ４１から時刻ｔ４３の間であり、このとき撮像素子１１９では、範囲Ｓの画素がスレーブフラッシュ２００Ａ、２００Ｂの光量によって露光され（範囲Ｓ内の撮像ラインは、明るく露光される）、この範囲Ｓにおける撮像ラインの数はＢとなる。
【００７８】
したがって、カメラ１００のフラッシュ１０１をプリ発光に先だって発光させ、撮像素子１１９からの画像データにおいて範囲Ｒのみにフラッシュ光による露光された撮像ラインが現われる場合には、スレーブフラッシュが周囲に配置されていない場合（通常ＴＴＬ調光制御モード）である。一方、撮像素子１１９からの画像データにおいて範囲Ｓにフラッシュ光によって露光された撮像ラインが現われる場合には、スレーブフラッシュが周囲に配置されている場合（スレーブモード）である。
【００７９】
第３実施形態の構成は、第１実施形態の構成と同様であり、図８Ａ、８Ｂに示したフローチャートを図１３Ａ、１３Ｂに示すフローチャートに置き換えるだけである。また、図１３Ａ、１３Ｂに示すフローチャートは、図８Ａのフローチャートにおいて、ステップＳ７をステップＳ６、８に置き換え、また図１１Ｂのフローチャートと同様、ステップＳ２３、２５、２６を追加する点が相違する。そこで、相違点であるステップＳ６、８を中心に説明する。
【００８０】
図１３Ａに示すフローに入り、ステップＳ１〜Ｓ３を実行し、ステップＳ５において定常光測光動作を行うと、次に、スレーブフラッシュ検出用プリ発光測光動作を行う（Ｓ６）。このステップでは、図１２を用いて説明したように、スレーブフラッシュ２００Ａ、２００Ｂが周囲に存在しているか否かを検出するために、カメラ１００のフラッシュ１０１に対して、スレーブフラッシュ検出用プリ発光を行わせる。
【００８１】
ステップＳ６においてスレーブフラッシュ検出用のプリ発光測光動作を行うと、次に、ライン数判定を行う（Ｓ８）。ここでは、図１２において説明した露光される撮像ラインの数を検出し、この撮像ライン数がＡより多いか否かを判定する。
【００８２】
ステップＳ８における判定の結果、撮像ライン数がＡより多いラインに露光されている場合には、スレーブフラッシュ２００Ａ、２００Ｂが、フラッシュ１０１のプリ発光に同期して発光した場合である。この場合には、スレーブモードであることから、スレーブＴＴＬ用プリ発光量（発光量Ａ）を決定する（Ｓ９）。一方、撮像ライン数がＡ以下の場合には、カメラ１００のフラッシュ１０１のみの発光であり、周囲にはスレーブフラッシュがない場合である。この場合には、通常ＴＴＬ用プリ発光量（発光量Ｂ）を決定する（Ｓ１１）。
【００８３】
ステップＳ９またはＳ１１においてプリ発光量を決定すると、プリ発光および測光動作を行い（Ｓ１３）、スレーブＴＴＬ判定を行う（Ｓ１５）。このステップＳ１５におけるスレーブＴＴＬ判定は、ステップＳ８における判定結果を用いる。すなわち、ライン数Ａより多いラインに露光されている場合には、スレーブＴＴＬ本発光量演算用テーブルを決定し（Ｓ１７）、一方、ライン数Ａより少ないラインに露光されている場合には、通常ＴＴＬ用本発光量演算用テーブルを決定する。本発光量演算用テーブルを決定すると、ステップＳ２１以下を実行するが、これらのステップについては、図８Ｂおよび図１１Ｂと同様であることから、詳しい説明を省略する。
【００８４】
このように、本発明の第３実施形態においては、プリ発光に先だって、フラッシュ発光部によってモード検出用のプリ発光を行い（Ｓ６参照）、このモード検出用プリ発光時に取得した画像データに基づいて、スレーブフラッシュを使用するモードか否かを判定し（Ｓ８参照）、この判定結果に基づいてスレーブモードを設定している（Ｓ９、Ｓ１７）。このため、本実施形態においては、周囲にスレーブフラッシュがあるか否かを正確に、かつ自動的に判定することができる。
【００８５】
以上説明したように、本発明の各実施形態においては、第２の発光モード（スレーブフラッシュを使用する場合の発光モード）が設定されている場合は、本発光に先立つプリ発光動作を行う際に、フラッシュ発光制御部は第１の発光モード（スレーブフラッシュを使用しない発光モード）が設定されている場合のプリ発光の発光量よりもプリ発光の発光量を大きくしている（図８ＡのＳ９、図９等参照）。また、第２の発光モードが設定されている場合は、本発光に際して、上記フラッシュ発光制御部は上記第１の発光モードが設定されている場合の本発光の発光量の最小値よりも本発光の発光量を大きくしている（図８ＢのＳ１７、図１０等参照）。このため、撮像装置側から発光に応じて確実に適正露光となるスレーブＴＴＬ調光制御を行うことができる。
【００８６】
なお、本発明の各実施形態においては、第１のフラッシュ装置としてカメラ１００にフラッシュ１０１を内蔵していたが、これに限らず、例えば、カメラ１００にフラッシュを外付けで装着するタイプでもよい。また、本発明の各実施形態においては、プリ発光時および本発光時の両方において、発光量を制御していたが、いずれか一方のみでも構わない。
【００８７】
また、本発明の各実施形態においては、図９に示すプリ発光用発光量テーブルとして、スレーブＴＴＬモード時はプリ発光量Ａの１つのみであったが（図８ＡのＳ９参照）、２以上のプリ発光量を用意しておき、撮影者が任意に選択できるようにしてもよい。また、本発明の各実施形態においては、図１０に示す本発光用発光量テーブルとして、スレーブＴＴＬモード時はテーブルＣの１つのみであったが（図８ＢのＳ１７参照）、２以上のテーブルを用意しておき、撮影者が任意に選択できるようにしてもよい。
【００８８】
また、本実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話、スマートフォーンや携帯情報端末（ＰＤＡ：Personal Digital Assist）、ゲーム機器等に内蔵されるカメラでも構わない。いずれにしても、スレーブフラッシュと組み合わせて使用可能な撮影のための機器であれば、本発明を適用することができる。
【００８９】
また、本明細書において説明した技術のうち、主にフローチャートで説明した制御に関しては、プログラムで設定可能であることが多く、記録媒体や記録部に収められる場合もある。この記録媒体、記録部への記録の仕方は、製品出荷時に記録してもよく、配布された記録媒体を利用してもよく、インターネットを介してダウンロードしたものでもよい。
【００９０】
また、特許請求の範囲、明細書、および図面中の動作フローに関して、便宜上「まず」、「次に」等の順番を表現する言葉を用いて説明したとしても、特に説明していない箇所では、この順で実施することが必須であることを意味するものではない。
【００９１】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００９２】
１００・・・カメラ、１０１・・・フラッシュ、１０３・・・フラッシュ制御部、１１１・・・撮影レンズ、１１３・・・絞り、１１５・・・ＮＤフィルタ、１１７・・・シャッタ、１１９・・・撮像素子、１２１・・・画像処理部、１２３・・・撮像制御部、１２５・・・シャッタ制御部、１２７・・・ＮＤ制御部、１２９・・・絞り制御部、１３１・・・レンズ制御部、１３３・・・記録部、１３５・・・音声処理部、１３７・・・マイク、１３９・・・スピーカ、１４１・・・表示部、１４３・・・操作部、１５０・・・制御部、１５１・・・スレーブモード判定部、１５３・・・フラッシュ発光量制御部、１５５・・・ＡＦ制御部、１５７・・・ＡＥ制御部、２００Ａ・・・スレーブフラッシュ、２００Ｂ・・・スレーブフラッシュ、２０１・・・フラッシュ、２０３・・・フラッシュ光受光部、２１０・・・制御部、２１１・・・フラッシュ発光量制御部、２１３・・・フラッシュ発光量演算部、２１５・・・受光制御部
【図１】
2015034862.tif 000003
【図２】
2015034862.tif 000004
【図３】
2015034862.tif 000005
【図４】
2015034862.tif 000006
【図５】
2015034862.tif 000007
【図６】
2015034862.tif 000008
【図７】
2015034862.tif 000009
【図８Ａ】
2015034862.tif 000010
【図８Ｂ】
2015034862.tif 000011
【図９】
2015034862.tif 000012
【図１０】
2015034862.tif 000013
【図１１Ａ】
2015034862.tif 000014
【図１１Ｂ】
2015034862.tif 000015
【図１２】
2015034862.tif 000016
【図１３Ａ】
2015034862.tif 000017
【図１３Ｂ】
2015034862.tif 000018